(57)【特許請求の範囲】
【請求項１】
アンテナロッドを回動自在な可倒式ルーフマウントアンテナのジョイント構造であって、該ジョイント構造は、
アンテナロッドの一端部に設けられ、アンテナロッドの軸方向と直交する軸方向の第１有底円筒状部材を有するジョイント部であって、前記第１有底円筒状部材は、その底部内面にクリック感を付与するための第１凹部又は凸部が設けられ、その底部外面にアンテナロッドと電気的に接続される第１端子部が設けられる、ジョイント部と、
前記ジョイント部を挟んで対峙する一対の枢支部であって、一方の枢支部に対峙方向を軸方向とする貫通孔が設けられ、他方の枢支部の一方の枢支部に相対向する面内に前記第１端子部と摺動可能に電気的に接続される第２端子部が設けられる、一対の枢支部と、
第２有底円筒状部材を有するクリックシリンダであって、前記第２有底円筒状部材は、その底部側から前記第１有底円筒状部材内に挿入され、その軸方向と直交する面での回動が抑制されるように前記一方の枢支部の貫通孔に係合され、その底部外面に前記第１凹部又は凸部と嵌合してクリック感を付与するための第２凹部又は凸部が設けられる、クリックシリンダと、
前記クリックシリンダの前記第２有底円筒状部材内に挿入されるコイルスプリングと、
前記一対の枢支部と前記ジョイント部と前記クリックシリンダと前記コイルスプリングとを、これらの軸方向に貫通させて締付け螺合するボルト及びナットと、
を具備することを特徴とする可倒式ルーフマウントアンテナのジョイント構造。
【請求項２】
請求項１に記載の可倒式ルーフマウントアンテナのジョイント構造において、前記ジョイント部は、その前記第１有底円筒状部材の底部内面の前記第１凹部又は凸部と、底部外面の前記第１端子部とが一体化していることを特徴とする可倒式ルーフマウントアンテナのジョイント構造。
【請求項３】
請求項１に記載の可倒式ルーフマウントアンテナのジョイント構造において、前記コイルスプリングは、前記クリックシリンダを前記第２端子部側に押圧することを特徴とする可倒式ルーフマウントアンテナのジョイント構造。
【発明の詳細な説明】
【技術分野】
【０００１】
本発明は、特に車載用の可倒式ルーフマウントアンテナのジョイント構造に関する。
【背景技術】
【０００２】
図４に一般的な車載用の可倒式ルーフマウントアンテナ１０の外観について示す。同図で、１１がアンテナロッド、１２がアンテナベース、１３がアンテナベース１２の下面から延在された同軸ケーブル、１４が同軸ケーブル１３の先端に位置し、このアンテナを載設する自動車のチューナに接続するための接続プラグである。
【０００３】
同図に示すようにアンテナロッド１１は、アンテナベース１２に対して０°，６０°，１８０°の３つのポジションのいずれかで固定できるような可倒式の構造を有しており、各ポジションで確実に固定できるように適度なクリック感が与えられるような構造となっている。
【０００４】
図５は上記図４の可倒式ルーフマウントアンテナ１０の特に回動枢着部のクリック感を付与するような具体構造を例示するものである。
【０００５】
同図で、アンテナロッド１１の下端側には、アンテナロッド１１の軸方向と直交する軸方向を有する円筒形のジョイントアセンブリ２１が取付けられており、このアンテナベース１２をアンテナロッド１１上部に嵌合し、ボルト２２その他を用いてこれらを一体に締付け、固定する。
【０００６】
より具体的には、ジョイントアセンブリ２１は図中の左奥側が金属板による端子による有底状となっており、この端子を後述するアンテナベース１２の端子部１２ｂと当接、摺動して電気的に接続させるもので、このジョイントアセンブリ２１の開口している側からその円孔内に、コイルスプリング２３をワッシャ２４を介して挿入した、一方が有底状となった円筒形のクリックケースアセンブリ２５を組入れる。
【０００７】
アンテナベース１２上部はアンテナベース１２を嵌合する位置を挟んで一対のブリッジ状の構成を有しており、その一方、図中の右手前側は６角柱状孔１２ａが形成され、また他方、図中の左奥側はボルト２２が貫通する程度の孔を形成した端子部１２ｂとなっている。
【０００８】
これらの間に、端子部１２ｂに当接される側にＯリング２６が入るようにしてアンテナロッド１１のジョイントアセンブリ２１を位置させた状態で、上記スプリング２３とワッシャ２４を挿入したクリックケースアセンブリ２５を６角柱状孔１２ａの外側からジョイントアセンブリ２１内へ組入れ、さらに６角板状のクリックプレート２７を貫通したボルト２２を同じくアンテナベース１２の６角柱状孔１２ａの外側から差し込み、これが貫通してアンテナベース１２の端子部１２ｂ側の外面にボルト２２の先端が突出したら、ワッシャ２８及びばねワッシャ２９を介してナット３０で締付け、固定することで、アンテナロッド１１及びアンテナベース１２を一体に構成することができる。
【０００９】
ジョイントアセンブリ２１に対するクリックケースアセンブリ２５は、相互に形成された凹凸を嵌合させることにより、少なくともその周方向に回転することはない。
【００１０】
同様に、クリックプレート２７もその６角板状の構成により、アンテナベース１２の６角柱状孔１２ａ内でその軸方向に移動することはあっても、その周方向に回転することはない。
【００１１】
しかるに、図６に示すようにクリックケースアセンブリ２５のクリックプレート２７と当接される底部外面には、プレス加工により中心位置にボルト２２を貫通させるための円孔２５１を設け、且つこの円孔２５１を挟んで１８０°離れた一対の半球状の凸部２５２，２５２を設けたプレート２５ａが埋設される。
【００１２】
一方、このクリックケースアセンブリ２５のプレート２５ａに当接されるクリックプレート２７は、正確には６角板とその６角形に内接する径の円板とが一体となって形成されるもので、クリックケースアセンブリ２５との当接面である円板側を図中で手前側に向けて示すように、例えばアルミニウムの厚板を切削した、いわゆる削り出しで製造されるもので、中央にボルト２２を貫通させるための円孔２７１が形成されると共に、この円孔２７１を挟んで円板側の表面に２対のそれぞれ１８０°離れた溝２７２，２７２，２７３，２７３を切削形成したもので、溝２７２，２７２と溝２７３，２７３は円孔２７１を中心位置として互いに中心角で６０°ずらした位置に配置される。
【００１３】
したがって、クリックケースアセンブリ２５のプレート２５ａがクリックプレート２７に当接される際、クリックケースアセンブリ２５側の凸部２５２，２５２が、溝２７２，２７２及び溝２７３，２７３からずれた位置から、アンテナロッド１１の回動に伴っていずれか一方の溝位置に至った際に、凹凸が嵌合してクリック感が生成される。
【００１４】
このような構成にあって、ボルト２２をナット３０で締付け固定する際の度合いに応じて、コイルスプリング２３の弾性によりクリックケースアセンブリ２５のプレート２５ａとクリックプレート２７の当接力、及び、Ｏリング２６を挟んでアンテナベース１２の端子部１２ｂとジョイントアセンブリ２１の図示しない金属端子面との当接力が加減調節されるもので、したがってこの各当接力を調節することにより、クリックトルクと、上記端子間の電気的な接続の度合いとが左右される。
【００１５】
【特許文献１】特開２０００−２５２７１７号公報
【発明の開示】
【発明が解決しようとする課題】
【００１６】
上記のような可倒式ルーフマウントアンテナ１０の回動枢着構造にあっては、クリックケースアセンブリ２５のプレート２５ａに形成された半球状の凸部２５２，２５２と、アンテナベース１２の６角柱状孔１２ａに固定されるクリックプレート２７の溝２７２，２７２または２７３，２７３との嵌合作用によりスプリング２３の弾性とナット３０での締付け度合いに応じたクリックトルクが発生する。
【００１７】
図７は、上記図５の状態からジョイントアセンブリ２１の図示しない裏面側を示すようにしたもので、上記端子部１２ｂと当接されるジョイントアセンブリ２１の端子面２１ａには、電気的接続を強固にするべく複数、例えば３個の半球状の凸部２１１，２１１，２１１が形成され、上記クリックトルクがこの凸部２１１，２１１，２１１とアンテナベース１２の端子部１２ｂとの間にも作用して、摩擦摺動することにより接続されて、アンテナロッド１１で得られたアンテナ信号がアンテナベース１２を回して同軸ケーブル１３へ伝達させるようになる。
【００１８】
このような構造では、クリックトルクが発生する部分と、アンテナ信号を伝達させる部分とが別となり、特にクリックプレート２７は切削して製造されるために部品としてのコストが高く、アンテナ装置全体としても製造コストが高いものとなってしまうという不具合がある。
【００１９】
さらに、図５に示した如くその組立て時には、コイルスプリング２３を挿入したクリックケースアセンブリ２５をその外周面に形成された凹凸がジョイントアセンブリ２１の内周面に形成された凹凸と嵌合するようにして６角柱状孔１２ａの外側から差し入れて保持し、さらにクリックプレート２７の６角板部を６角柱状孔１２ａに合わせるようにしてボルト２２を６角柱状孔１２ａの外側に先端が突出するまで挿通しなければならないため、組立ての作業性が非常に悪いという不具合もあった。
【００２０】
本発明は上記のような実情に鑑みてなされたもので、その目的とするところは、個々の部品の製造コストの上昇を抑え、組立て作業性を向上した可倒式ルーフマウントアンテナのジョイント構造を提供することにある。
【課題を解決するための手段】
【００２１】
上述した本発明の目的を達成するために、本発明によるアンテナロッドを回動自在な可倒式ルーフマウントアンテナのジョイント構造は、アンテナロッドの一端部に設けられ、アンテナロッドの軸方向と直交する軸方向の第１有底円筒状部材を有するジョイント部であって、第１有底円筒状部材は、その底部内面にクリック感を付与するための第１凹部又は凸部が設けられ、その底部外面にアンテナロッドと電気的に接続される第１端子部が設けられる、ジョイント部と、ジョイント部を挟んで対峙する一対の枢支部であって、一方の枢支部に対峙方向を軸方向とする貫通孔が設けられ、他方の枢支部の一方の枢支部に相対向する面内に第１端子部と摺動可能に電気的に接続される第２端子部が設けられる、一対の枢支部と、第２有底円筒状部材を有するクリックシリンダであって、第２有底円筒状部材は、その底部側から第１有底円筒状部材内に挿入され、その軸方向と直交する面での回動が抑制されるように一方の枢支部の貫通孔に係合され、その底部外面に第１凹部又は凸部と嵌合してクリック感を付与するための第２凹部又は凸部が設けられる、クリックシリンダと、クリックシリンダの第２有底円筒状部材内に挿入されるコイルスプリングと、一対の枢支部とジョイント部とクリックシリンダとコイルスプリングとを、これらの軸方向に貫通させて締付け螺合するボルト及びナットと、を具備するものである。
【００２２】
ここで、ジョイント部は、その第１有底円筒状部材の底部内面の第１凹部又は凸部と、底部外面の第１端子部とが一体化していれば良い。
【００２３】
また、コイルスプリングは、クリックシリンダを第２端子部側に押圧するものであれば良い。
【発明の効果】
【００２４】
このような構成とすれば、ジョイント部の底部の内面とクリックシリンダの底部外面との間でクリックトルクが発生し、且つジョイント部の底部の外面と枢支部他方側内面の端子部間で摩擦摺動してアンテナ信号伝搬のための電気的な接続がなされるので、クリックトルクが発生する部分とアンテナ信号を伝達させる部分とを一体化でき、必要な金属部品はすべてプレス加工等により製作することができるために、個々の部品の製造コストの上昇を抑えることができる。
【００２５】
また、コイルスプリングを押さえ込んだ状態で保持しながら他の部品の嵌合位置を合わせ、その後にボルト及びナットで螺合するような必要がなく、組立て工程を上記図５乃至図７で示した従来の構造のものより大幅に簡略化できるため、組立て作業性を大きく向上させることができる。
【発明を実施するための最良の形態】
【００２６】
以下本発明の実施の一形態について図面を参照して説明する。
【００２７】
図１は特に回動枢着部のクリック感を付与するような具体構造を示すもので、図中の３１がアンテナロッド、３２がこのアンテナロッド３１を取付けるためのアンテナベースであり、アンテナロッド３１の下端、アンテナベース３２に取付ける側にはジョイントアセンブリ３３が設けられている。
【００２８】
このジョイントアセンブリ３３は、アンテナロッド３１の軸方向と直交する軸方向の有底円筒状部材からなり、図２に示すようにこの有底円筒状部材の底部内面に中心位置を挟んで１８０°離れた一対の半球状の凸部３３１，３３１をクリック感を付与するためのものとして形成している。
【００２９】
この有底円筒状部材の底部外面は、図３に示すようにアンテナロッド３１で得たアンテナ信号を伝搬するための端子部３３ａとなる。
【００３０】
また、このジョイントアセンブリ３３を回動枢着するべくアンテナベース１２上部に対峙するようにして一対の枢支部３２ａ，３２ｂが形成されるもので、その一方３２ａには対峙方向を軸方向とする円孔３２１を形成し、他方３２ｂの上記円孔３２１に相対向する内面には上記ジョイントアセンブリ３３の端子部３３ａと当接されて電気的に接続される端子部３２２を形成している。
【００３１】
しかして、上記ジョイントアセンブリ３３の端子部３３ａと枢支部３２ｂの端子部３２２間にＯリング４３を介在するようにしてジョイントアセンブリ３３を上記枢支部３２ａ，３２ｂ間に位置させた状態で、枢支部３２ａの上記円孔３２１よりジョイントアセンブリ３３の有底円筒状部材開口を介してクリックシリンダ３４が挿入される。
【００３２】
このクリックシリンダ３４は、その有底円筒状の底部外面側に、上記凸部３３１，３３１と嵌合する複数のクリック位置に対応した複数対の円孔３４１，３４１，…を形成した例えばプレス加工で製造されたプレート３４ａを埋設しており、またこのプレート３４ａを埋設していない開口側の外周面端部近傍には、枢支部３２ａの円孔３２１内でその軸方向と直交する面での回動を抑制するべく円孔３２１内周面と係合するような凹凸形状を相互に形成している。
【００３３】
しかるに、このクリックシリンダ３４の開口側よりコイルスプリング３５をワッシャ３６を介して挿入し、さらにクリックシリンダ３４と同様に枢支部３２ａの円孔３２１内でその軸方向と直交する面での回動を抑制されるワッシャ３７を挿入した状態で、ボルト３８によりこれらワッシャ３７、コイルスプリング３５、ワッシャ３６、クリックシリンダ３４の底面プレート３４ａ、ジョイントアセンブリ３３の底部、枢支部３２ｂの端子部３２２を貫通させ、枢支部３２ｂの外面側より波ワッシャ３９、ワッシャ４０、ばねワッシャ４１を介してナット４２で締付け螺合することで、この枢着回動部が構成される。
【００３４】
このような構成にあっては、有底筒状のジョイントアセンブリ３３の底部内面に形成された凸部３３１，３３１と、ここに当接されるクリックシリンダ３４の底部外面に埋設された底面プレート３４ａに形成された円孔３４１，３４１，…のうちの一対とが嵌合する際のコイルスプリング３５の弾性によりクリックトルクが発生し、図３に示したジョイントアセンブリ３３の端子部３３ａは枢支部３２ｂの端子部３２２との摩擦摺動により電気的に接続されて、アンテナロッド３１で得られたアンテナ信号が伝搬される。
【００３５】
こうして、ジョイントアセンブリ３３の底面部はその表裏でクリックトルクの発生とアンテナ信号の伝搬という２つの機能を実現することになり、特にクリック感を発生するためのジョイントアセンブリ３３の底部とクリックシリンダ３４の底面プレート３４ａは共にプレス加工等により嵌合形状を形成することができるため、個々の部品としてのコストが低く、アンテナ装置全体としても製造コストを低減することができる。
【００３６】
また、組立て作業時には、ボルト３８を上記図１に示したようにワッシャ３７を始めに、ばねワッシャ４１に至るまで順次貫通させ、ナット４２で締付け螺合する直前の状態まで、コイルスプリング３５をその弾性に反して押さえ込んでおくような必要がなく、上記図５で示した従来の枢着回動部の同構造に比して大幅に組立て工程数を減少することができ、組立て時の作業性を大いに向上できる。
【００３７】
なお、本発明は上記実施の形態に限らず、その要旨を逸脱しない範囲内で種々変形して実施することが可能であるものとする。
【００３８】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００３９】
本発明によれば、ジョイント部の底部の内面でクリックシリンダの底部外面との間でクリックトルクが発生し、且つジョイント部の底部の外面と枢支部他方側内面の端子部間で摩擦摺動してアンテナ信号伝搬のための電気的な接続がなされるので、クリックトルクが発生する部分とアンテナ信号を伝達させる部分とを一体化でき、必要な金属部品はすべてプレス加工等により製作することができるために、個々の部品の製造コストの上昇を抑えることができる。
【００４０】
また、コイルスプリングを押さえ込んだ状態で保持しながら他の部品の嵌合位置を合わせ、その後にボルト及びナットで螺合するような必要がなく、組立て工程を従来の同様な構造のものより大幅に簡略化できるため、組立て作業性を大きく向上させることができる。
【図面の簡単な説明】
【００４１】
【図１】本発明の実施の一形態に係る可倒式ルーフマウントアンテナの特に回動枢着部の具体構造を例示する斜視図。
【図２】図１の特にジョイントアセンブリとクリックシリンダの具体構造を例示する斜視図。
【図３】図１の特にジョイントアセンブリ裏面側とアンテナベースの具体構造を例示する斜視図。
【図４】一般的な可倒式ルーフマウントアンテナの外観構成を示す斜視図。
【図５】従来のアンテナの特に回動枢着部の具体構造を例示する斜視図。
【図６】図５の特にクリックケースアセンブリとクリックプレートの具体構造を例示する斜視図。
【図７】図５の特にジョイントアセンブリ裏面側とアンテナベースの具体構造を例示する斜視図。
【符号の説明】
【００４２】
１０…可倒式ルーフマウントアンテナ
１１…アンテナロッド
１２…アンテナベース
２１…ジョイントアセンブリ
２２…ボルト
２３…コイルスプリング
２４…ワッシャ
２５…クリックケースアセンブリ
２５ａ…プレート
２５１…円孔
２５２…凸部
２６…Ｏリング
２７…クリックプレート
２７１…円孔
２７２，２７３…溝
２８…ワッシャ
２９…ばねワッシャ
３０…ナット
３１…アンテナロッド
３２…アンテナベース
３２ａ，３２ｂ…枢支部
３２１…円孔
３２２…端子部
３３…ジョイントアセンブリ
３３ａ…端子部
３３１…凸部
３４…クリックシリンダ
３４ａ…底面プレート
３４１…円孔
３５…コイルスプリング
３６，３７…ワッシャ
３８…ボルト
３９…波ワッシャ
４０…ワッシャ
４１…ばねワッシャ
４２…ナット
４３…Ｏリング
【図１】
0004469876.tif 000002
【図２】
0004469876.tif 000003
【図３】
0004469876.tif 000004
【図４】
0004469876.tif 000005
【図５】
0004469876.tif 000006
【図６】
0004469876.tif 000007
【図７】
0004469876.tif 000008